(57)【要約】  本開示は、ハウジング、一対の電気コネクタ、支持キャップ、及びセンサを含む温度検出プローブに向けられる。ハウジングは、ハウジングを貫通して長手方向に延びる穴を定義し、一対の電気コネクタは、穴を通って延びる。支持キャップは、ハウジングの第１端部に配置される。センサは、支持キャップ上に設けられ、一対の電気コネクタに電気的に結合される。支持キャップは、一対の電気コネクタと支持キャップとの間に配置される。【選択図】図３
2021518546.tif 000002
【特許請求の範囲】
【請求項１】
ハウジングを貫通して長手方向に延びる穴を定義するハウジングと、
前記穴を通って長手方向に延びる一対の電気コネクタと、
前記ハウジングの第１端部に配置された支持キャップと、
前記支持キャップ上に設けられ、前記一対の電気コネクタに電気的に結合されたセンサと、を具備し、
前記支持キャップは、前記一対の電気コネクタと前記センサとの間に配置される
ことを特徴とする温度検出プローブ。
【請求項２】
前記ハウジングの第２端部を通って延び、前記一対の電気コネクタに電気的に結合された一対の電気ピン
をさらに具備する請求項１の温度検出プローブ。
【請求項３】
前記一対の電気コネクタは、前記支持キャップを介して前記センサに電気的に結合されたＰＯＧＯピンである
請求項１の温度検出プローブ。
【請求項４】
前記一対の電気コネクタは、前記支持キャップを介して前記センサに電気的に結合された一対の配線である
請求項１の温度検出プローブ。
【請求項５】
前記支持キャップは、ポリアミドで作られている
請求項１の温度検出プローブ。
【請求項６】
前記支持キャップは、前記一対の電気コネクタと前記センサとを電気的に結合するための２個のめっきされた貫通穴を含む、
請求項１の温度検出プローブ。
【請求項７】
前記センサは、抵抗温度検出器センサチップである
請求項１の温度検出プローブ。
【請求項８】
前記センサは、前記支持キャップに堆積された薄膜抵抗体であり、前記薄膜抵抗体は抵抗の高温度係数を有する
請求項１の温度検出プローブ。
【請求項９】
前記薄膜抵抗体は、銅、ニッケル、ニッケル−鉄、又は白金の１つである
請求項８の温度検出プローブ。
【請求項１０】
前記センサの表面上に配置された温度絶縁材料をさらに具備する
請求項１の温度検出プローブ。
【請求項１１】
前記センサは、物体の温度を測定するため、前記物体の表面に直接接触するように構成される
請求項１の温度検出プローブ。
【請求項１２】
前記ハウジングは、前記ハウジングの外部に沿って１つ以上の周方向の溝を定義する
請求項１の温度検出プローブ。
【請求項１３】
前記センサは、熱電対である
請求項１の温度検出プローブ。
【請求項１４】
前記センサからの信号を調整するため、前記センサと通信可能に結合された信号処理回路をさらに具備する
請求項１の温度検出プローブ。
【請求項１５】
前記ハウジングは、前記ハウジングの第２端部にチャンバを定義し、前記信号処理回路は、前記チャンバに配置され、
前記一対の電気コネクタは、前記センサと前記信号処理回路とを通信可能に結合するため、前記信号処理回路に電気的に結合される
請求項１４の温度検出プローブ。
【発明の詳細な説明】
【関連出願との相互参照】
【０００１】
本出願は、２０１８年３月２３日に出願された米国仮出願第６２/６４７０９４号の利益及び優先権を主張する。上記出願の内容は、参照によりその全体が本明細書に組み込まれる。
【技術分野】
【０００２】
本発明は、表面の温度を検出する表面温度センサ装置に関する。
【背景】
【０００３】
本項の記載は、単に本開示に関連する背景情報を提供するものであり、従来技術を構成するものではない場合がある。
【０００４】
表面温度検出器は、表面の温度を測定するために、表面に近接して、あるいは表面に接触するように設計される。このような温度検出器は、温度に敏感なプロセスにおいて温度測定を提供するために使用される。例えば、半導体プロセスは、半導体ウェハを形成するために使用されるチャック／ペデスタルのような処理チャンバ内の様々な構成要素の温度を制御するため、正確な温度測定に依存している。
【０００５】
典型的には、表面温度検出器は、ハウジング内に配置された抵抗温度デバイスなどの熱感知デバイスを含む。熱感知デバイスの精度は、例えば、ハウジングと感知デバイスとの間の熱伝導率、測定される表面に対する熱感知デバイスの位置、熱感知デバイスの材料特性、及び他の要因に基づいて変化する。これら及び他の問題は、本開示の教示に対処される。
【発明の概要】
【０００６】
本項は、本開示の一般的な概要を提供するものであり、その完全な範囲又はその特徴の全てを包括的に開示するものではない。
【０００７】
本開示は、ハウジング、一対の電気コネクタ、支持キャップ、及びセンサを含む温度検出プローブに向けられる。ハウジングは、ハウジングを貫通して長手方向に延びる穴を定義する。一対の電気コネクタは、この穴を通って長手方向に延びている。支持キャップは、ハウジングの第１端部に配置され、センサは、支持キャップ上に設けられ、一対の電気コネクタに電気的に結合される。支持キャップは、一対の電気コネクタとセンサとの間に配置される。
【０００８】
一形態において、温度検出プローブは、ハウジングの第２端部を通って延び、一対の電気コネクタに電気的に結合された一対の電気ピンをさらに含む。
【０００９】
別の形態において、一対の電気コネクタは、支持キャップを介してセンサに電気的に結合されたＰＯＧＯ（ポゴ）ピンである。
【００１０】
さらに別の形態において、一対の電気コネクタは、支持キャップを介してセンサに電気的に結合された一対の配線である。
【００１１】
一形態において、支持キャップはポリアミドで作られている。
【００１２】
別の形態において、支持キャップは、一対の電気コネクタとセンサとを電気的に結合するための２つのめっきされた貫通穴を含む。
【００１３】
別の形態において、センサは、抵抗温度検出器センサチップである。
【００１４】
一形態において、センサは、支持キャップ上に堆積された薄膜抵抗体であり、薄膜抵抗体は、抵抗の高温度係数を有する。一形態において、薄膜抵抗体は、銅、ニッケル、ニッケル−鉄、又は白金の１つである。
【００１５】
別の形態において、温度検出プローブは、センサの表面上に配置された温度絶縁材料をさらに含む。
【００１６】
さらに別の形態において、センサは、物体の温度を測定するため、物体の表面に直接接触ように構成される。
【００１７】
一形態において、ハウジングは、ハウジングの外部に沿って１つ以上の周方向の溝を定義する。
【００１８】
別の形態において、センサは熱電対である。
【００１９】
一形態において、温度検出プローブは、センサからの信号を調整するため、センサに通信可能に結合された信号処理回路をさらに含む。一変形において、ハウジングは、ハウジングの第２端部にチャンバを定義し、信号処理回路は、チャンバに配置される。一対の電気コネクタは、センサと信号処理回路とを通信可能に結合するため、信号処理回路に電気的に結合される。
【００２０】
別の形態において、本開示は、物体を具備するシステムに向けられ、本開示の温度検出プローブは、物体内に配置される。温度検出プローブは、物体内に配置され、温度検出プローブのセンサは、物体の表面に直接面している。
【００２１】
一形態において、本開示は、ハウジング、一対の電気コネクタ、支持キャップ、及びセンサを含む温度検出プローブに向けられる。ハウジングは、ハウジングを貫通して長手方向に延びる穴を定義する。ハウジングは、ハウジングの外部に沿って１つ以上の周方向の溝を有する。一対の電気コネクタは、穴を通って長手方向に延びている。支持キャップは、ハウジングの第１端部に配置される。支持キャップは、穴に面する第１表面と、環境に露出された第２表面とを含む。センサは、温度を示す信号を生成する。センサは、一対の電気コネクタに電気的に結合され、穴から離れた支持キャップの第２表面に配置される。
【００２２】
さらに別の形態において、温度検出プローブは、ハウジングの第２端部を通って延びる一対の電気ピンをさらに含む。一対の電気コネクタは、一対の電気ピンに電気的に結合され、支持キャップを介してセンサに電気的に結合される一対の配線である。
【００２３】
更なる適用可能な領域は、本明細書で提供される説明から明らかになるであろう。本明細書及び特定の実施例は、例示のみを目的としたものであり、本開示の範囲を限定することを意図したものではないことが理解されるべきである。
【図面の簡単な説明】
【００２４】
本開示を十分に理解するため、ここでは、例として、添付の図面を参照しながら、様々な形態を説明する。
【００２５】
【図１】本開示の教示に従った第１形態による温度検出プローブを有する物体の部分断面図である。
【００２６】
【図２】図１の温度検出プローブの斜視図である。
【００２７】
【図３】図２の温度検出プローブの断面図である。
【００２８】
【図４Ａ】本開示の教示に従った第２形態の温度検出プローブの断面図である。
【００２９】
【図４Ｂ】図４Ａの温度検出プローブ用の支持キャップ及びセンサの正面図である。
【００３０】
【図５】本開示の教示に従った第３形態の温度検出プローブの部分断面図である。
【００３１】
【図６】本開示の教示に従った第４形態の温度検出プローブの部分断面図である。
【００３２】
【図７】本開示の教示に従った第５形態の温度検出プローブの部分断面図である。
【００３３】
本明細書に記載された図面は、例示を目的としたものであり、本開示の範囲を何らかの形で限定することを意図したものではない。
【発明の詳細な説明】
【００３４】
以下の説明は、単に例示的なものであり、本開示、適用、又は用途を限定することを意図するものではない。図面全体を通して、対応する参照数字は、類似又は対応する部分及び特徴を示すと理解されるべきである。
【００３５】
本開示は、プローブと物体との間の熱伝導率を低減又は抑制し、且つ温度測定の熱分流（thermal shunting）を低減する温度検出プローブに向けられる。特に、本明細書に記載されるように、温度検出プローブは、測定される表面に最も近いプローブの部分で、その外部に沿って周方向に延びる溝を有するハウジングを含む。溝は、物体とプローブとの間の熱の伝達を減少させるための熱遮断器(thermal breaker)を形成してもよい。さらに、プローブは、ハウジングの外側に配置され、測定される表面に近接して、又は幾つかの形態では測定される表面に直接接触するように配置されるセンサを含む。この配置は、熱分流を最小化しながら、センサの応答時間を改善する可能性がある。本開示の温度検出プローブは、他の問題を扱っており、本明細書で提供される例に限定されるべきではないことが容易に理解されるべきである。
【００３６】
図１を参照すると、温度検出プローブ１００は、センサ装置とも称するが、物体１０２の温度、特に物体１０２の表面１０４の温度を検出するために作動可能である。物体１０２は、例えば、半導体ウェハを処理するために使用されるチャック又はペデスタルであってもよい。しかし、温度検出プローブ１００は、他の物体の温度を検出するために使用されてもよく、本明細書で提供される例に限定されるべきではない。
【００３７】
一形態において、温度検出プローブ１００は、物体１０２を通って表面１０４まで延びている。一形態において、温度検出プローブ１００と物体１０２との間には、物体１０２とプローブ１００との間の熱伝導率を低下させるための隙間１０６が設けられている。隙間の大きさは、用途に応じて変化し得る。
【００３８】
図２及び図３を参照すると、一形態において、プローブ１００は、ハウジング１１０と、１つ又は複数の電気コネクタ１１２（すなわち、１１２１及び１１２２）と、支持キャップ１１４と、センサ１１６とを含む。ハウジング１１０は、第１端部１２０及び第２端部１２２を有し、第１端部１２０と第２端部１２２との間でハウジング１１０を貫通して長手方向に延びる穴１２４を定義する。一形態において、異物がプローブ１００に入るのを防ぐため、キャップ１２５が第１端部１２０に設けられている。ハウジング１１０は、第１端部１２０を含む延長部分１３０と、第２端部１２２を含むセンサ部分１３２とを有するように見てよい。物体１０２内に配置される場合、センサ部分１３２は、延長部分１３０よりも物体１０２の表面１０４に近い位置に配置される。一形態において、ハウジング１１０のセンサ部分１３２は、物体１０２とプローブ１００との間、及び延長部分１３０とセンサ部分１３２との間の熱伝導を阻害するために、ハウジング１１０の外部に沿って定義された周方向の溝として提供された１つ以上の熱ブレーク１３４を含む。一形態において、熱ブレーク１３４はハウジング１１０を通って延びており、別の形態において、熱ブレーク１３４と穴１２４との間にハウジング１１０の薄い壁が設けられている。ハウジング１１０は、プラスチック、例えばポリエーテル エーテル ケトンなどの高性能ポリイミドベースのプラスチック、又は他の好適な材料で作られていてもよい。
【００３９】
電気コネクタ１１２は、穴１２４を通ってセンサ部分１３２の第２端部１２２まで延びている。電気コネクタ１１２は、電気的に結合するように構成され、したがって、物体の表面温度を示す信号を受信する制御システム（図示せず）にセンサ１１６を通信的に結合するように構成される。一実施例において、制御システムは、台座ヒータなどのヒータを制御するように構成される。制御システムは、プローブ１００からの信号を受信し、信号及び他の入力に基づいてヒータシステムへの電力を制御する。これは、一例のアプリケーションに過ぎない。
【００４０】
電気コネクタ１１２は、穴１２４を通って長手方向に延びており、センサ１１６に電気的に結合される。一形態において、電気コネクタ１１２は、一対のピン、例えば一対のＰＯＧＯピンであり、各ピンは、リード部分１４０（すなわち、１４０１及び１４０２）及びピン部分１４２（すなわち、１４２１及び１４２２）を含む。リード部分１４０は、第１端部１２０を通って延びており、ケーブル／配線接続を介して制御システムに電気的に結合するように構成される。ピン部分１４２は、リード部分１４０から第２端部１２２まで延び、センサ１１６に電気的に結合される。電気コネクタは、他の好適な方法で構成されてもよく、その例を以下に示す。
【００４１】
支持キャップ１１４は、第２端部１２２に配置され、センサ１１６を物体１０２の表面１０４に整列させて支持するように構成される。一形態において、支持キャップ１１４は、円盤状の形状を有し、センサ１１６とハウジング１１０との間の熱伝導を阻害するため、ポリアミドのような低熱伝導性材料で作られている。他の材料は、ポリジメチルシロキサンなどのエラストマー材料を含んでもよい。支持キャップ１１４は、穴１２４に面する第１表面と、環境に露出された第２表面とを含む。支持キャップ１１４は、センサ１１６のサイズ及びプローブ１００のパッケージサイズに基づき、様々な好適な方法で構成される。例えば、一形態において、支持キャップ１１４の厚さは、約０．００１乃至０．００５インチである。支持キャップ１１４は、またセンサ１１６を電気子ネクタ１１２に電気的に結合するように構成される。一形態において、センサ１１６が表面実装デバイスである場合、支持キャップ１１４は、センサ１１６の半田パッドと電気コネクタ１１２とを電気的に結合するめっきされた貫通孔１４４（すなわち、１４４１及び１４４２）を含む。センサ１１６を、支持キャップ１１４を介して電気的にコネクタ１１２に電気的に結合するための他の好適な方法も、本開示の範囲内で使用されてもよい。
【００４２】
センサ１１６は、表面１０４の温度を測定するために動作可能であり、温度を示す信号を制御システムに出力する。一形態において、センサ１１６は、支持キャップ１１４上に設置され、より具体的には支持キャップ１１４の第２表面に沿って配置された抵抗温度検出器（ＲＴＤ）タイプのセンサである。図３において、センサ１１６は、一般に、ケースと、ケース内に配置された抵抗の高温度係数（ＴＣＲ：high temperature coefficient of resistance）を有する抵抗素子とを含むＲＴＤ表面実装デバイスとして提供される。例えば、抵抗体は、銅、ニッケル、ニッケル−鉄、又は白金であってもよいが、これらに限定されない。ＲＴＤ表面実装デバイスは、リフロー半田を介して支持キャップ１１４に実装される。一実装例において、ＲＴＤ表面実装デバイスは、表面実装デバイスのための業界標準０６０３サイズ（０．８Ｘ１．６ｍｍ）に従っており、０．４５ｍｍの厚さを有し、質量が１．９ｍｇである。別の実施形態において、センサ１１６は、支持キャップ１１４の表面に取り付けられた熱電対である。
【００４３】
本出願に基づいて、センサ１１６は、表面１０４の温度を測定するために、物体１０２の表面１０４に直接接触するか、又は近接するように構成される。一形態において、支持キャップ１１４は、センサ１１６の位置が物体１０２の表面１０４に接触するため柔軟であるように、弾力性又は弾性を有する。さらに、電気コネクタ１１２がＰＯＧＯピンである場合、ピンは、センサ１１６が表面１０４に接触するよう、支持キャップ１１４及びセンサ１１６に対してバイアス力を提供する。
【００４４】
動作において、プローブ１００は、物体１０２内に配置され、電気コネクタ１１２及び配線を介して制御システムに電気的に結合される。センサ１１６は、表面１０４の温度を測定するために、表面１０４と直接接触していてもよいし、表面１０４に近接していてもよい。制御システムは、センサ１１６と通信可能に結合され、センサ１１６から温度を示す信号を受信する。
【００４５】
支持キャップ１１４及び溝を有するハウジング１１０の方法により、プローブ１００と物体との間、及びセンサ１１６とハウジング１１０との間の熱伝導率は、例えば、センサの精度、応答時間、及びオフセット誤差を潜在的に改善するために、低減又は抑制される。
【００４６】
図４Ａ及び４Ｂは、異なる電気コネクタ及びセンサを有する温度検出プローブの別の変形例を示す。具体的には、一形態において、温度検出プローブ２００は、ハウジング１１０と、一対の電気ピン又はリード２０２（すなわち、２０２１及び２０２２）と、一対の電気コネクタ２０４（すなわち、２０４１及び２０４２）と、支持キャップ２０６と、センサ２０８とを含む。電気リード２０２は、プローブ２００を制御システムに電気的に結合するために操作可能であり、ハウジング１１０の第１端部１２０を通って延びている。プローブ２００は、異物がハウジング１１０に入るのを防ぐため、第１端部１２０に配置されたキャップ２１０をさらに含む。
【００４７】
電気コネクタ２０４は、リード２０２に接続される配線であり、例えば半田又はスポット溶接であり、配線２０４と呼ばれることがある。一形態において、電気コネクタ２０４は、小ゲージの配線、例えば３６から４０ゲージの配線である。プローブ１００の電気コネクタ１１２と同様に、配線２０４は、穴１２４を通って延び、支持キャップ２０６を介してセンサ２０８に電気的に結合される。
【００４８】
一形態において、センサ２０８は、支持キャップ２０６上に堆積された高いＴＣＲを有する抵抗素子２１０である。すなわち、そこに配置された抵抗性材料を有するケースを取り付ける代わりに、プローブ２００は、抵抗性材料を支持キャップ２０６上に直接設ける。したがって、物体に配置された場合、抵抗性材料は、物体の表面に直接又は近接して接触しているため、センサ２０８の応答時間を増加させ、熱分流を低減させることができる。
【００４９】
一形態において、支持キャップ２０６は、石英、シリコン、酸化アルミニウム（Ａｌ２Ｏ３）、窒化アルミニウム（ＡｌＮ）などの低熱膨張材料の剛体ディスクである。別の実施形態において、支持キャップ２０６は、抵抗素子（すなわちセンサ２０８）を基板から絶縁するために誘電体でコーティングされたステンレス鋼又はインバー(Invar)のような金属基板である。プローブ１００と同様に、センサ２０８（すなわち、抵抗性材料）を電気コネクタ２０４に電気的に結合して、制御システムに結合するため、めっきされた貫通孔が支持キャップ２０６に形成されてもよい。また、支持キャップ２０６は、センサ２０８と支持キャップ２０６との間の熱損失をさらに低減するため、スケルトン化(skeletonized)された構造で構成されてもよい。
【００５０】
図５を参照すると、温度検出プローブ１００、２００は、センサ及び支持キャップに柔軟性を提供するための支持体をさらに備えてもよい。より具体的には、温度検出プローブ３００は、プローブ２００と同様に構成されるが、プローブ１００のセンサ１１６及び支持キャップ１１４を含む。プローブ３００は、ハウジング１１０の第２端部１２２に配置された保持リング３０２と、センサ１１６に設けられた温度絶縁材料３０４（ＴＩＭ）とをさらに含む。保持リング３０２は、支持キャップ１１４をハウジング１１０に固定する。
【００５１】
ＴＩＭ３０４は、ＴＩＭ３０４がセンサ１１６と測定される表面との間にあるように、センサ１１６上に設けられる。ＴＩＭ３０４の厚さは、プローブ３００を使用するアプリケーション、及び支持キャップ１１４及びセンサ１１６の構造に基づいてもよい。例えば、支持キャップ１１４の厚さが１０乃至５０ミクロンである場合、ＴＩＭ３０４の厚さは５０乃至２５０ミクロンであってもよい。一形態において、ＴＩＭ３０４は、センサ１１６の露出した表面に堆積されるシート材料又はモールド イン プレイス材料である。ＴＩＭ３０４は、低硬度ポリマー又はゲル、多くの場合、シリコーンベースのもの、及び窒化ホウ素、種々の金属酸化物又は金属などの固体粉末材料の組み合わせから作られ、熱伝導性を提供する。ポリマーは、基本的には、使用可能な形で固体のこの洗練された組み合わせを保持するバインダであり、典型的には、アプリケーションに合わせて様々な厚さで利用可能なシート、又はより安定した柔らかい固体材料に硬化することができるディスペンサブルな液体又はペーストのフォームである。ＴＩＭ材料の例としては、フジポリ(Fujipoly)、サルコン(Sarcon)、ＳＰＧ２０Ａ、サルコンＧＴＲ、又はサルコンＱＲがある。ＴＩＭ３０４は、温度測定の精度を向上させるために、対象物の表面に対するセンサ１１６の熱界面を改善する。
【００５２】
図６を参照すると、温度検出プローブ４００は、センサを支持して柔軟性を提供するための別の構成を提供する。一形態において、プローブ４００は、センサ１１６を制御システムに電気的に結合するためのプローブ２００の配線（すなわち、電気コネクタ２０４）及びリード２０２を含む。ここで、プローブ４００は、ハウジング１１０の第２端部１２２に設けられた支持キャップ４０２を含む。一形態において、支持キャップ４０２はエラストマー製であり、センサ１１６を支持するための様々な好適な方法で構成されてもよい。例えば、一形態において、支持キャップ４０２は、ハウジング１１０の内壁と接する壁４０４を含み、センサ１１６を収容するための空洞４０６と、配線を受けるためのアクセスポート４０８（すなわち、４０８１及び４０８２）とを定義する。
【００５３】
一形態において、本開示の温度検出プローブは、制御システムに信号を提供する前に、センサからの信号を処理するための回路をさらに含んでもよい。例えば、図７を参照すると、プローブ５００は、プローブ２００、３００、４００と同様に構成され、電気コネクタとしての配線、及びリード２０２を含む。一形態において、プローブ５００は、ハウジング１１０内に定義されたチャンバ５０４内に配置された信号処理回路（ＳＰＣ）５０２を含む。ＳＰＣ７０２は、第１セットの配線５０６（すなわち、５０６１及び５０６２）を介してセンサ（図示せず）に電気的に結合され、第２セットの配線５０８（すなわち、５０８１及び５０８２）を介してリード２０２に電気的に結合される。したがって、配線５０６及び５０８は、センサ１１６をＳＰＣ５０２に電気的に結合し、ＳＰＣ５０２をリード２０２に電気的に結合する電気コネクタを形成する。
【００５４】
ＳＰＣ５０２は、制御システムに信号を送信する前に、センサ１１６からの元の信号を調整するための様々な適切な方法で構成されてもよい。例えば、一形態において、ＳＰＣ５０２は、例えば、元の信号からのノイズをフィルタリングし、信号の強度を高め、信号を制御システムによって利用される特定のフォーマットに変換し、信号をデジタル値に変換し、及び／又はセンサオフセット補正を実行するための１つ以上の電気部品を含む。ＳＰＣ５０２により、プローブ５００は、センサからの元の信号に基づき強化された信号を提供するために、特定の制御システム用にカスタマイズすることができる。さらに、ＳＰＣ５０２は、ハウジング１１０に熱的にインターフェイスされており、ハウジング１１０は、干渉フィットのような直接接触により、又はＴＩＭを介して物体１０２に熱的にインターフェイスされる。物体１０２の温度は、能動的に制御され、したがって、ＳＰＣの回路及び材料と互換性のある温度でＳＰＣ５０２を維持する。換言すると、ＳＰＣ５０２と物体１０２との間に提供される熱経路は、電子回路と互換性のある温度で制御される物体１０２の温度と実質的に同じ温度でＳＰＣ５０２の温度を制御する。
【００５５】
異なるプローブ間の様々なバリエーションは、交換可能であってもよい。例えば、図１のプローブ１００は、電気コネクタ１１２の代わりに、リード２０２及び電気コネクタ２０４を含んでもよい。逆に、プローブ２００、３００、４００及び５００は、リード２０２及び電気コネクタ２０４の代わりに、図１の電気コネクタ１１２を含んでもよい。
【００５６】
さらに別の形態において、プローブ１００、２００、３００、４００、５００の各々は、絶縁ガスを保持するように構成されてもよい。例えば、溝１２０が壁によって穴１２４から分離された状態で、プローブ４００は、ハウジング１１０とセンサ１１６との間の熱伝導をさらに抑制するために、アラゴンのような絶縁ガスで満たされてもよい。
【００５７】
本開示の温度検出プローブは、表面の測定された温度の精度を向上させるために、ハウジングなどの周囲の構成要素とセンサ間の熱伝導を抑制するように構成される。測定に対する追加の改善は、センサが測定される表面と直接インターフェイスを有することによっても提供される。センサ表面にＴＩＭを追加することで、測定される表面との熱的なインターフェイスとセンサの再現性が向上する。柔軟性のある支持キャップは、センサ、ＴＩＭ、被測定面に対して一定の力を提供する。
【００５８】
本開示の記載は、本質的に例示的なものに過ぎず、したがって、本開示の本質から逸脱しない変形は、本開示の範囲内であることが意図される。そのような変形は、開示の精神及び範囲からの逸脱とみなされるべきではない。
【００５９】
本明細書において、第１、第２、第３などの用語が、様々な要素、構成要素、領域、層及び／又はセクションを説明するために使用されてもよいが、これらの要素、構成要素、領域、層及び／又はセクションは、これらの用語によって限定されるべきではない。これらの用語は、１つの要素、構成要素、領域、層及び／又はセクションを、別の要素、構成要素、領域、層及び／又はセクションと区別するためにのみ使用されてもよい。本明細書で使用される場合、「第１」、「第２」、及び他の数値用語のような用語は、文脈によって明確に示されない限り、順番又は順序を暗示するものではない。したがって、第１要素、構成要素、領域、層、又はセクションは、例示的な実施形態の教示から逸脱することなく、第２要素、構成要素、領域、層、又はセクションと呼ばれ得る。さらに、要素、コンポーネント、領域、層、又はセクションは、「第１」要素、コンポーネント、領域、層、又はセクションと称される要素、コンポーネント、領域、層、又はセクションを必要とせずに、「第２」要素、コンポーネント、領域、層、又はセクションと称されてもよい。
【図１】
2021518546.tif 000003
【図２】
2021518546.tif 000004
【図３】
2021518546.tif 000005
【図４Ａ】
2021518546.tif 000006
【図４Ｂ】
2021518546.tif 000007
【図５】
2021518546.tif 000008
【図６】
2021518546.tif 000009
【図７】
2021518546.tif 000010
【国際調査報告】
2021518546.tif 000011
2021518546.tif 000012
2021518546.tif 000013